(57)【要約】手動駆動式流体ディスペンサポンプ  ポンプ本体（１０）とピストン（５０）とを有し、当該ピストンは、ポンプ本体（１０）の中で休止位置と投与位置との間を耐漏洩様態でスライド移動するよう設置されており、前記ピストン（５０）には少なくとも１つの底面密閉リップ（５１）が設置されており、当該密閉リップは前記ポンプ本体（１０）と耐漏洩様態で接触し、前記ポンプ本体（１０）には内向きに延びる径方向ショルダー（１１）が設けられており、当該径方向ショルダーはピストン（５０）の底面リップ（５１）と協働して前記ピストン（５０）の受け台を形成し、さらに前記ピストンの投与位置を規定しており、特徴となるのは、前記ポンプ本体（１０）には、軸方向の環状セットバック（１５）が前記径方向ショルダー（１１）の位置に設置されており、そのため、ピストン（５０）が投与位置にある際、底面リップ（５１）の有効シール部分（５３）は前記径方向ショルダー（１１）と接触しないため、前記有効部分（５３）に軸方向の力が加わらないこと、であるという流体ディスペンサ。
2005527354.tif 000002
【特許請求の範囲】
【請求項１】
手動駆動式流体ディスペンサポンプであって、
ポンプ本体（１０）とピストン（５０）とを有し、当該ピストンは、ポンプ本体（１０）の中で休止位置と投与位置との間を耐漏洩様態でスライド移動するよう設置されており、前記ピストン（５０）には少なくとも１つの底面密閉リップ（５１）が設置されており、当該密閉リップは前記ポンプ本体（１０）と耐漏洩様態で接触し、前記ポンプ本体（１０）には内向きに延びる径方向ショルダー（１１）が設けられており、当該径方向ショルダーはピストン（５０）の底面リップ（５１）と協働して前記ピストン（５０）の受け台を形成し、さらに前記ピストンの投与位置を規定しており、
特徴となるのは、
前記ポンプ本体（１０）には、軸方向の環状セットバック（１５）が前記径方向ショルダー（１１）の位置に設置されており、そのため、ピストン（５０）が投与位置にある際、底面リップ（５１）の有効シール部分（５３）は前記径方向ショルダー（１１）と接触しないため、前記有効部分（５３）に軸方向の力が加わらないこと、
であるという前記ポンプ。
【請求項２】
ピストン（５０）の底面リップ（５１）のうち、下側軸方向エッジ（５４）は傾斜しており、そのため、ピストン（５０）が投与位置にある際、下側エッジ（５４）の非有効部分は、ポンプ本体（１０）の前記径方向ショルダー（１１）に接触することとなり、一方で有効シール部分（５３）は、前記環状セットバック（１５）の内部に延びる形になること、
を特徴とする請求項１に記載のポンプ。
【請求項３】
請求項１又は２に記載のポンプを有すること、
を特徴とする流体ディスペンサ装置。
【発明の詳細な説明】
【技術分野】
【０００１】
本発明は、手動駆動式流体ディスペンサポンプおよび、こうしたポンプが備えられた流体ディスペンサ装置に関する。
【背景技術】
【０００２】
公知の形では、ポンプは、一般的にポンプ本体を有し、ポンプ本体の中にピストンが設置され、休止位置と投与位置との間をスライド移動するようになっている。前記ピストンは、ユーザにより投与位置にまで動かされることで、前記ポンプの中、例えばポンプ室などに貯蔵された流体を投与する。従来の形では、ポンプには、ピストンの休止位置を規定するための手段と、ピストンの投与位置を規定するための手段とが備えられている。こうした手段は、一般的に受け台の形をしており、それはピストンの終端位置を規定している。公知のように、投与位置を規定する受け台は、ポンプ本体内のショルダーによって実現することができる。ピストンが前記ショルダーによって受け止められる状態になると、それ以上ピストンをポンプ本体に対して動かすことはできなくなる。このようにして、ピストンの駆動終端位置と投与位置とが規定される。
【０００３】
残念ながら、こうした形態では問題が生じる。ポンプが駆動される度に、ピストンの密閉リップ、さらに具体的に言えば、密閉リップの有効部分、例えばリップとポンプ本体との間の耐漏洩様態での接触を実現する部分は、径方向ショルダーによって受け止められる状態になり、そのため有効部分は軸方向の力あるいは圧力を受けることになる。ポンプが何度か駆動された時点で、ピストンの密閉リップ、さらに具体的に言えば密閉リップの有効シール部分が、ダメージを受けたり変形したりする可能性があり、そうなるとポンプの性能に劣化をきたすことにもなりかねない。同様に、ポンプの組立て中に、ピストンが組立て機械により投与位置まで動かされるということがよくある。そうした操作は比較的手荒く行われ、少なくともポンプがユーザに使用される場合よりも強い力で行われる。この場合、ポンプの組立て中に、底面密閉リップは、ポンプ本体の径方向ショルダーに極めて手荒く受け止められる状態になる。それにより、ポンプの組立て中に、ピストンの密閉リップが劣化したりダメージを受けたりすることがあり得る。
【発明の開示】
【発明が解決しようとする課題】
【０００４】
本発明の目的は、上記の問題が生じない流体ディスペンサポンプを提供することである。
すなわち本発明の目的は、ピストンを保護し、それによってポンプの性能が劣化することを防ぎ、そして前記ポンプの寿命を長くする流体ディスペンサポンプを提供することである。
【０００５】
本発明の目的は、また、製造および組立てが簡単かつ低コストである流体ディスペンサポンプを提供することである。
【課題を解決するための手段】
【０００６】
そこで、本発明は、ポンプ本体とピストンとを有し、当該ピストンは、ポンプ本体の中で休止位置と投与位置との間を耐漏洩様態でスライド移動するよう設置されており、前記ピストンには少なくとも１つの底面密閉リップが設置されており、当該密閉リップは前記ポンプ本体と耐漏洩様態で接触し、前記ポンプ本体には内向きに延びる径方向ショルダーが設けられており、当該径方向ショルダーはピストンの底面リップと協働して前記ピストンの受け台を形成し、さらに前記ピストンの投与位置を規定しており、特徴となるのは、前記ポンプ本体には、軸方向の環状セットバックが前記径方向ショルダーの位置に設置されており、そのため、ピストンが投与位置にある際、底面リップの有効シール部分は前記径方向ショルダーと接触しないため、前記有効部分に軸方向の力が加わらないこと、であるという手動駆動式流体ディスペンサポンプを提供する。
【発明の効果】
【０００７】
効果的な構成として、ピストンの底面リップのうち、下側軸方向エッジは傾斜しており、そのため、ピストンが投与位置にある際、下側エッジの非有効部分は、ポンプ本体の前記径方向ショルダーに接触することとなり、一方で有効シール部分は、前記環状セットバックの内部に延びる形になることとするあ。
また、上記のとおり規定されるポンプを有する流体ディスペンサ装置を提供する。
【発明を実施するための最良の形態】
【０００８】
本発明に関する他の特徴および効果については、添付図面を参照しながら、本発明の実施の形態に関する以下の詳細な説明を読めば、さらに明らかになるであろう。
図１は、本発明の適応が可能な流体ディスペンサを概略的に示している。しかしながら、理解できるように、本発明は図１に示すポンプに限定されることはなく、それどころか、ピストンがポンプ本体内でスライド移動するよう設置されており、ピストンの駆動終端位置又は投与位置がピストンの密閉リップと協働する受け台部分によって規定されている、という流体ディスペンサポンプであれば、どんなものにでも適用が可能である。
【０００９】
図１に示すポンプは、ポンプ本体１０を有し、当該ポンプ本体の中には第１のピストン５０がスライド移動するように設置されている。第１のピストンは、効果的な構成として、空洞となっている駆動ロッド６０に、好ましくは一体化された形で接続されており、当該駆動ロッド６０は排出チャネル６１を備えている。図１の例に示すポンプは、さらに第２のピストン５５を有しており、当該ピストンは、ポンプ本体のうち直径の小さい部分の中をスライド移動するよう設置されている。ポンプ室２０は、２つのピストン５０、５５の間、そして入口弁３０と出口弁４０との間に設置されている。ポンプが駆動される際、第２のピストン５５は第１のピストン５０よりも早い速度で動くが、これは直径の違いが原因である。そして、ピストン５０が駆動ストロークの終わりに達すると、第２のピストン５５は自動的に出口弁４０を開けることになる。さらにフェルール８０が、ポンプ本体１０の上端に装着されており、それはピストン５０の休止位置を規定している。そして図に示すポンプは、固定リング１によって容器（図示せず）に組み付ければよく、当該固定リングはいかなる種類であってもよいが、具体的にはネジ留め、クランプ留め、スナップ留めなどの種類である。公知の形では、一般的にネックガスケット５が固定リング１と容器（図示せず）の上端との間に入れられる。スプリング７０は、ポンプが駆動される毎に、ポンプをその休止位置まで自動的に戻すことになる。
【００１０】
図２は、本発明の主題を示す。注意すべき点として、図２は極めて概略的な図であり、いくらかの形状や変形を誇張または単純化して示している。
本発明において、ポンプ本体１０には、内向きに延びる径方向ショルダー１１が設けられ、当該ショルダーがピストン５０の投与位置を規定している。ピストン５０の密閉リップ５１、さらに具体的に言えば当該底面リップ５１の有効シール部分５３がダメージを受けることを避けるために、ポンプ本体には軸方向の環状セットバック１５が設けられている。そのため、ピストン５０が投与位置にあるとき、図２に示すように、底面リップ５１の有効シール部分５３は、径方向ショルダー１１と接触していない。それどころか前記有効シール部分は前記軸方向の環状セットバック１５の内部に延びている。そのため、軸方向の圧力や力が前記有効部分５３に加わることはない。したがって前記有効部分は、ピストンが投与位置５０に達する際、変形することもダメージを受けることもない。ポンプの組立て中も、ポンプが駆動される際にも、それはあてはまる。
【００１１】
図２に概略的に示すように、ピストン５０の底面リップ５１のうち下側エッジ５４については傾斜させてもよい。そうすれば、下側エッジ５４の非有効部分は、前記投与位置で前記径方向ショルダー１１に受け止められる形で接する。その一方で、有効シール部分５３は前記径方向ショルダーに接することなく、前記軸方向のセットバック１５の内部に延びることになる。前記軸方向のセットバック１５の径方向の寸法および深さの両方あるいは一方は、ピストン５０の底面リップ５１のうち下側エッジ５４の特定の形状に対応させてもよいが、その場合は、受け止められる位置に来た時、有効部分５３すなわちシールの働きをする部分が、前記軸状のセットバック１５の底面と接触しないようにする。
【００１２】
このように本発明は、ポンプの性能劣化の防止を可能にする。そして、ピストン５０の底面リップ５１、さらに詳しく言えば当該底面リップの有効シール部分５３がダメージを受けたり変形したりするリスクを取り除くことによって、ポンプの寿命を長くすることを可能にする。
ここまで、本発明に関して、特定の実施の形態に関連付けて説明してきたが、理解すべき点として、当業者であれば、添付の特許請求の範囲によって規定される本発明の範囲を逸脱しない形で、いかなる変更を施すことも可能であろう。
【図面の簡単な説明】
【００１３】
【図１】本発明に対応する流体ディスペンサを示す概略断面図である。
【図２】図１の一部分を拡大した概略図であり、本発明の効果的な実施の形態を示す図である。
【図１】
2005527354.tif 000003
【図２】
2005527354.tif 000004
【国際調査報告】
2005527354.tif 000005
2005527354.tif 000006
2005527354.tif 000007
2005527354.tif 000008